(57)【要約】【課題】  トレイにディスクをセットして搬入し、ディスク再生位置にて上昇するターンテーブルに搬入されたディスクを載置すると共にクランパーにてクランプするディスク装置であって、トレイ後端部中央の強度を高めることが出来る一方で、寸法拡大を招くことのないディスク装置の提供。【解決手段】  トレイ１１の後端部中央には前後方向に延びる２本のリブ１７ａ，１７ｂを所定の距離をおいて起立して設けると共に該リブ１７ａ，１７ｂの前後端には傾斜面１９ａ，１９ｂを形成している。リブ１７ａ，１７ｂがクランパー２２の位置を通過する際には該クランパー２２を押上げることが出来ると共にクランパー支持部２９に当たらないようにクランパー２２の押え板外周部に係合可能とし、そしてディスク交換位置へ搬出された状態では上記リブ１７ａ，１７ｂがクランパー２２から離れることが出来るトレイ長さとしている。【選択図】    図６
2006155768.tif 000002
【特許請求の範囲】
【請求項１】
トレイにディスクを載置して搬入し、ディスク再生位置にて上昇するターンテーブルによってトレイと共に搬入されたディスクを持ち上げ、該ターンテーブルと対向して配置したクランパーと該ターンテーブルとでディスクを狭持する構成としたディスク装置において、トレイの後端部には前後方向に延びるリブを起立して設けると共に該リブの前後端には傾斜面を形成し、該リブがクランパーの位置を通過する際には該クランパーを押上げることを特徴とする後端部にリブを有すトレイを備えたディスク装置。
【請求項２】
上記トレイ後端部のリブは所定の距離をおいて２本形成し、該リブがクランパーの押え板外周部に当接可能とした請求項１に記載の後端部にリブを有すトレイを備えたディスク装置。
【請求項３】
上記トレイがディスク交換位置へ搬出された状態では該リブがクランパーから離れることが出来るトレイ長さとした請求項１、又は請求項２に記載の後端部にリブを有すトレイを備えたディスク装置。
【発明の詳細な説明】
【技術分野】
【０００１】
本発明はトレイを備えたディスク装置に関し、特にディスクを搬送するトレイが変形／破壊する危険性を緩和する為の補強を備えたディスク装置に関するものである。
【背景技術】
【０００２】
ディスク装置ではディスクをターンテーブルに装着して回転することで、記録・再生が行われるが、上記ターンテーブルへの装着手段には色々ある。最も代表的な装着手段は、トレイを用いる方法であり、装置の正面に設けた開口から出入りするトレイにディスクをセットして装置内へ搬入し、上記ターンテーブルに装着される。すなわち、トレイに載置したディスクは装置内に搬入され、ターンテーブルとクランパーとの間に挟まれて回転し、回転と共に光ピックアップが移動して記録情報の再生が行われる。
【０００３】
又、装置正面に設けた開口からディスクを直接挿入することで、装置内に設けている引き込み装置によりディスクを引き込んでターンテーブルに装着することも出来る。この引き込み装置にも色々あり、開口奥の両側にベルトを取付けてディスクを挟み、該ベルトの走行と共にディスクを引き込むことが出来る。一方、回転ローラーを装着してディスクを挟み、該ローラーの回転と共に装置内へ引き込むように構成したディスク装置も知られている。
【０００４】
ところで、ターンテーブルへの何れの装着手段であっても、ディスクが装置内へ搬入される場合に、該ターンテーブルが中央に位置していたのではディスクが該ターンテーブルと干渉してしまう。従って、ターンテーブル及びターンテーブルを回転駆動するスピンドルモータ、ディスクの記録信号情報を読み取るピックアップユニットはトラバースユニットに装着され、該トラバースユニットは後方を支点として揺動できるように取付けられ、装置内に搬入されたディスクが所定の位置に達したところで、トラバースユニットは揺動・上昇してディスクをクランパーとの間で挟み込んで装着することが出来る。
【０００５】
ところで、本発明が対象とするディスク装置はトレイを装着した型式であるが、該トレイを装着することでディスク装置の寸法、特に厚さ寸法(高さ寸法)が大きく成ってしまう。そこで、トレイの厚さを出来る限り薄くするような形態としている。しかし、薄く成り過ぎたのではトレイの強度並びに剛性が低下してしまうことから、厚さ寸法は強度並びに剛性とのバランスを考慮して決められている。特に、トレイ後端部中央はトレイの搬送に際してクランパー及びターンテーブルに干渉しないように薄く成っている。
【０００６】
図７は従来のトレイを表している。該トレイ１は概略長方形を成して、上面側にはディスクがセットされる円形凹部２ａ，２ｂが同心を成して形成され、そして中央部には概略長方形の開口３を有している。又、下面両側にはガイド溝４ａ，４ｂが前後方向に沿設され、下面にはピニオンギアに噛合うラックギア５が設けられている。そして、トレイ後端部中央は薄く成っていると共に上面を低くする為に段差が形成されている。
【０００７】
これは、トレイが搬送される際に、ターンテーブルとでディスクを挟み込んで回転するクランパーと干渉しない為に段差をもって上面の位置を下げている。トレイ後端部中央はこのように段差を形成しているが、上側にはクランパーが位置し、下側にはターンテーブルが位置することで補強用のリブを設けることは出来ない。従って、トレイの他の部分の強度並びに剛性が十分であっても、後端部中央での強度が低い為に、トレイ全体の強度は低く成ってしまい、該トレイに反りが発生する。
【０００８】
特開平１０−２７５３９０号に係る「ディスクトレイを備えたディスク駆動装置」は、ディスクトレイの強度を十分に高め、反りを防止することが可能な形態としている。すなわち、ディスクが載置されるディスク載置部を有すディスクトレイに、ディスク再生位置からディスク着脱位置に移動する際にディスククランパと接触して、ディスククランパを上方に変位させてディスクトレイの移動の障害にならないようにするディスククランパ変位手段を設けている。
【０００９】
上記ディスククランパ変位手段は傾斜面と水平な補強部から成って、トレイ上面から突出している為に、ディスクトレイの後端部中央の強度は高くなる。しかも、該補強部は傾斜面を形成している為にディスクトレイの移動に伴ってディスククランパは持ち上げられる為に、該ディスクトレイの搬出移動には何ら障害とならない。
【００１０】
しかし、該ディスク駆動装置の場合、ディスククランパはその下面がディスククランパ変位手段に当たって大きく押上げられることから、ディスク駆動装置の高さ寸法はその分だけ大きく成ってしまう。又、ディスクトレイがディスク交換位置まで搬出された状態では、ディスククランパがディスククランパ変位手段の水平な補強部に載っており、すなわちトレイ後端部はディスククランパから離れないように該ディスクトレイは長く成っている。その結果ディスク駆動装置全体の長さ寸法(奥行き寸法)が大きく成ってしまい、コンパクトなディスク駆動装置とは成り得ない。
【特許文献１】特開平１０−２７５３９０号に係る「ディスクトレイを備えたディスク駆動装置」
【発明の開示】
【発明が解決しようとする課題】
【００１１】
このように従来のディスク装置には上記のごとき問題がある。本発明が解決しようとする課題はこの問題点であり、トレイ後端部中央の強度を高めることが出来る一方で、寸法拡大を招くことのないディスク装置を提供する。
【課題を解決するための手段】
【００１２】
本発明に係るディスク装置はディスクを載置して搬入・搬出するトレイを備え、該トレイの往復スライド運動に伴ってトラバースユニットが上下動することが出来るように構成している。そして、トレイの後端部中央には所定の間隔をおいて前後方向に延びてクランパーを押上げる２本のリブを起立している。その為にトレイの後端部に薄肉の段差を設ける必要がなくなり、トレイ自体の強度は高くなる。そこで、該トレイが移動する場合、クランパーの押え板外周部に干渉して該クランパーを押上げることが出来る。
【００１３】
本発明では、クランパーが大きく持ち上げることがないように、所定の距離を隔てて設けた２本のリブを設け、該リブはクランパーの押え板外周部だけ干渉することが出来る。すなわち、押え板中央部に形成している凸部には干渉しない構造としている。しかも、リブの前後端は傾斜していてクランパーの押え板外周部に干渉して押上げ易くしている。そして、本発明ではトレイがディスク交換位置まで搬出された場合、トレイ後端部のリブはクランパーから離れてしまう寸法と成っている。従って、クランパーは降下するが、トレイが後退する際には傾斜面に沿って再び押上げられる。
【発明の効果】
【００１４】
本発明に係るディスク装置では、そのトレイ後端部中央に２本のリブを起立して設けている為に、該トレイ後端部に薄肉の段差を設ける必要がなく、トレイ自体の強度は高くなる。従って、トレイ全体の強度バランスが保たれる為にトレイの反りは防止される。このように、本発明ではトレイ後端部に２本のリブを起立するが、ディスク装置としての寸法拡大をもたらすことはない。すなわち、２本のリブは所定の距離を隔てて設けられ、トレイが移動する際にはリブがクランパーの押え板外周部に干渉して該クランパーを僅かに持ち上げることが出来る。しかも、リブの前後端には傾斜面が形成されることで、クランパーの押え板外周部がリブの傾斜面に当たることでスムーズに押上げられ、リブが通過すればクランパーの自重により降下する。
【実施例】
【００１５】
図１はディスク装置を示す外観図である。正面中央部にはディスクを載置して出し入れするトレイ１１が突出し、また複数のプッシュボタン１２ａ，１２ｂ・・が備わっている。ここで、上記プッシュボタン１２ａ，１２ｂ・・の機能は特に限定することはないが、例えばディスク装置の場合、１２ａは再生ボタン、１２ｂは早戻しボタン、１２ｃは早送りボタン、１２ｄはスキップボタン、１２ｅはトレイオープン／クローズボタンとして機能させることが出来る。
【００１６】
そして、これらプッシュボタン１２ａ，１２ｂ・・の配置は自由であり、フロントパネルの外観要素の１つとしてデザインされる。ここで、ディスク装置の正面には化粧板１３が貼着され、この化粧板１３は同図に示しているようにキャビネット１４と同じ大きさを成し、キャビネット１４の縁が表面化しないことでディスク装置の正面意匠が向上するデザインとなっている。
【００１７】
同図に示すトレイ１１はディスク交換位置に突出しており、該トレイ１１にディスクをセットして装置内へ搬入されるが、トレイ１１の両側下面にはガイド溝が設けられると共に、該ガイド溝にフレーム本体から起立するボスが遊嵌することでトレイ１１はボスをガイドとしてスライドすることが出来る。
【００１８】
図２は本発明のディスク装置を構成するトレイを単独で表している。該トレイ１１は概略長方形を成し、上面にはディスクがセットされる円形凹部１５ａ，１５ｂが形成され、中央には概略長方形の開口１６を形成し、その基本形態は前記図７に示した従来のトレイと同じである。しかし、本発明のこの実施例で示すトレイ１１は後端部中央に２本のリブ１７ａ，１７ｂを形成している。リブ１７ａ，１７ｂは開口１６の縁１８からトレイ後端まで前後方向に延び、２本のリブ１７ａ、１７ｂは所定の距離を隔てて設けられ、前後端には傾斜面１９ａ，１９ａ，１９ｂ，１９ｂを有している。
【００１９】
図３は上記トレイ１１とトラバースユニットに設けられスピンドルモータ２０及び該スピンドルモータ２０の主軸に取着されているターンテーブル２１、そしてフレーム本体に設けられているクランパー２２を表示している。同図に示すクランパー２２及びターンテーブル２１とトレイ１１との位置関係は、該トレイ１１が搬出されてディスク交換位置にある場合である。このように、ディスク交換位置では、特開平１０−２７５３９０号に係る「ディスクトレイを備えたディスク駆動装置」の場合とは異なり、トレイ後端部はクランパー２２から離れてしまう。すなわち、クランパー２２から離れてしまうトレイ長さとしている為に、ディスク装置の奥行き長さは短くなる。
【００２０】
ターンテーブル２１とクランパー２２によって挟まれたディスクは、トラバースユニットが降下するならば、スピンドルモータ２０と共にターンテーブル２１は降下し、ターンテーブル２１に載置されているディスクも降下してトレイ１１に載せられる。そしてトレイ１１に載ったディスクは該トレイ１１によって同図に示すディスク交換位置へ搬出される。
【００２１】
この状態でディスクをトレイ１１から取外して別のディスクをトレイ１１の円形凹部１５ａ，１５ｂにセットすることが出来、そしてトレイ１１の先端を押圧するならばモーターが駆動してピニオンギアが回転し、ピニオンギアと噛合っているラックギアと共にトレイ１１を装置内へ搬入する。
【００２２】
この場合、トレイ１１はターンテーブル２１とクランパー２２の間に残されている僅かな空間２３を移動し、装置内の再生位置へ搬入されるが、トレイ１１の搬入に際してクランパー２２はトレイ後端部に起立して形成したリブ１７ａ，１７ｂに当たって押上げられる。図４はトレイ１１が搬入動作を開始してトレイ後端部に起立して設けたリブ１７ａ，１７ｂによってクランパー２２が押上げられた場合を示している。ここで、ターンテーブル２１はトレイ底に干渉しないように降下している。
【００２３】
リブ１７ａ，１７ｂの後方端は傾斜した傾斜面１９ａ，１９ｂを有している為に、クランパー２２から離れたトレイ１１が搬入する際には、クランパー２２はこの傾斜面１９ａ，１９ｂに当たって押上げられ、リブ１７ａ，１７ｂが通過したところで、図５に示すように再び降下する。そしてディスク再生位置に達したところでトラバースユニットが上昇するならば、ターンテーブル２１も上昇してディスクを載置すると共に、さらに上昇するならばクランパー２２とでディスクが挟み込まれてクランプされる。
【００２４】
図６はクランパー２２がリブ１７ａ，１７ｂによって押上げられている場合を示している。該クランパー２２は円形の上板２４と押え板２５から成り、押え板２５に設けているＬ形カギ２６，２６・・が上板２４に形成している係止片２７，２７・・に係止して組み合わされている。そして、上板２４と押え板２５との間は所定空間２８を有し、上板２４はフレームのＬ形断面のクランパー支持部２９に載って支えられる。しかも、Ｌ形断面のクランパー支持部２９は上板２４を拘束する位置決め効果も備えている。
【００２５】
クランパー２２の押え板２５の中央部には凸部３０が下方へ突出しているが、該凸部３０の外周は傾斜していてターンテーブル２１に載置されたディスクの穴に嵌って位置決めされる。そして、図６から明らかなように両リブ１７ａ，１７ｂには押え板２５の外周部が載って支持され、中央凸部３０には接していない。すなわち、前記特開平１０−２７５３９０号に係る「ディスクトレイを備えたディスク駆動装置」に表したように凸部３０の底を押上げるものではなく、クランパー２２の上昇距離は大きくならない。その結果、ディスク装置の高さ寸法の拡大を抑制することが出来る。
【００２６】
そして、トレイ１１が移動してリブ１７ａ，１７ｂが通過した後ではクランパー２２は降下して上板２４の外周がクランパー支持部２９に係止して支持される。又、ディスクを載置したターンテーブル２１が上昇してクランパー２２を押上げてクランプされた状態では、クランパー支持部２９が上板２４と押え板２５との間の空間２８に位置し、クランパー２２がディスクと共に回転する際には該クランパー支持部２９に接触しない。
【図面の簡単な説明】
【００２７】
【図１】ディスク装置の正面斜視図。
【図２】トレイの実施例。
【図３】トレイがディスク交換位置に搬出されている状態での、該トレイとターンテーブル及びクランパーの位置関係。
【図４】トレイ一部搬入されて、トレイ後端部のリブにてクランパーが押上げられた場合。
【図５】トレイがさらに搬入されて、クランパーがリブから離れた場合。
【図６】クランパーがトレイ後端部のリブに載っている場合。
【図７】従来のトレイを示す具体例。
【符号の説明】
【００２８】
11  トレイ
12  プッシュボタン
13  化粧板
14  キャビネット
15  円形凹部
16  開口
17  リブ
18  縁
19  傾斜面
20  スピンドルモータ
21  ターンテーブル
22  クランパー
23  空間
24  上板
25  押え板
26  Ｌ形カギ
27  係止片
28  空間
29  クランパー支持部
30  凸部
【図１】
2006155768.tif 000003
【図２】
2006155768.tif 000004
【図３】
2006155768.tif 000005
【図４】
2006155768.tif 000006
【図５】
2006155768.tif 000007
【図６】
2006155768.tif 000008
【図７】
2006155768.tif 000009